(57)【要約】【目的】  建物の冷房時の省エネルギー化を大きく推進することができ、設置コストを大幅に低減化できる建物の壁面緑化装置および方法を提供する。【構成】  複数の植栽素材保持部と、前記各植栽素材保持部を建物の壁面から所定距離だけ離れた複数の位置に支持する第１支持部と、送水用のパイプから送られてくる水をミストとして放出する複数のミスト放出部と、前記各ミスト放出部を前記各植栽素材保持部の上方の各位置であって少なくとも前記各植栽素材保持部の略水平方向の中央部分よりも更に前記壁面から離れた各位置にそれぞれ支持する第２支持部（前記第１支持部により兼用されるものであってもよい）と、を備え、前記各ミスト放出部は、前記各植栽素材保持部および前記壁面の双方に向けてミストを放出するものである。【選択図】    図１
2013146232.tif 000002
【特許請求の範囲】
【請求項１】
建物の壁面を緑化するための緑化装置であって、
植物が生育可能な植栽用素材により構成される、複数の植栽素材保持部と、
前記各植栽素材保持部を、建物の壁面に対向するように、前記壁面から所定距離だけ離れた複数の位置に、それぞれ支持する第１支持部と、
送水用のパイプから送られてくる水をミストとして放出する、複数のミスト放出部と、
前記各ミスト放出部を、前記各植栽素材保持部の上方の各位置であって少なくとも前記各植栽素材保持部の水平方向の中央部分よりも更に前記壁面から離れた各位置に、それぞれ支持する第２支持部（前記第１支持部と兼用されるものであってもよい）と、
を備え、前記各ミスト放出部は、前記各植栽素材保持部および前記壁面の双方に向けてミストを放出するものである、ことを特徴とする、壁面冷却機能を有する壁面緑化装置。
【請求項２】
建物の壁面を緑化するための緑化装置であって、
建物の壁面から所定距離だけ離れた位置に、前記壁面に対向するように前記壁面と略平行に配置され、且つ、略垂直方向および略水平方向にそれぞれ所定間隔を介して互いに略平行に配置される複数のワイヤロープと、
植物が生育可能な植栽用素材により構成される複数の植栽素材保持部であって、前記ワイヤロープに直接に又は所定の支持部材を介して取り付けられ支持された各植栽素材保持部と、
前記ワイヤロープにより支持された送水パイプであって、少なくとも前記各植栽素材保持部の水平方向の中央部分よりも前記壁面から離れた位置に配置された送水パイプと、
前記送水パイプの複数箇所にそれぞれ設けられ、前記送水パイプからの水を、前記各植栽素材保持部および前記壁面の双方に向けて、ミストとして放出するミスト放出部と、
を備えたことを特徴とする、壁面冷却機能を有する壁面緑化装置。
【請求項３】
請求項２において、
前記建物の屋根又は屋上の外壁側端部に、前記壁面から離れる方向に前記屋根又は屋上の外壁側端部から突出する突出部を備えたワイヤ支持部が固定されており、
前記ワイヤロープは、前記壁面から所定距離だけ離れた位置に配置されるように、前記ワイヤ支持部の突出部により支持されている、ことを特徴とする、壁面冷却機能を有する壁面緑化装置。
【請求項４】
建物の壁面を緑化するための緑化方法であって、
前記壁面に対して所定距離だけ離れた複数の位置に、それぞれ、植物が生育可能な植栽用素材により構成される複数の植栽素材保持部を配置および支持しておくと共に、
前記各植栽素材保持部の上方の各位置であって少なくとも前記各植栽素材保持部の水平方向の中央部分よりも更に前記壁面から離れた各位置に、それぞれ、送水用のパイプから送られてくる水をミストとして放出するミスト放出部を配置および支持しておき、
前記各ミスト放出部から、前記植栽素材保持部および前記壁面の双方に向けて、ミストを放出するようにした、ことを特徴とする壁面冷却機能を有する壁面緑化方法。
【発明の詳細な説明】
【技術分野】
【０００１】
本発明は、建物の外壁（壁面）又はその近傍に植物を植生させることにより建物周囲のヒートアイランド現象の改善や景観向上などを目的とする緑化装置および方法に関する。
【背景技術】
【０００２】
従来より、都市部における建物の断熱性向上、これによるヒートアイランド現象の緩和による省エネルギー化の推進、更には景観の向上などを目的として、建物の屋根、屋上、又は壁面に植物を生育させ緑化することが行なわれている。
【０００３】
このような建物の屋根、屋上、又は壁面の緑化、特に建物の壁面の緑化においては、外壁の垂直面に沿って植物を植栽させる必要があることから、種々の提案が為されている。例えば、特許文献１では、植物が生育可能な固化培土保持部（植栽基盤保持部）を、建物の壁面に着脱可能に取り付ける緑化装置を開示している。
【先行技術文献】
【特許文献】
【０００４】
【特許文献１】特開２０１２−５４０９号公報
【発明の概要】
【発明が解決しようとする課題】
【０００５】
しかしながら、特許文献１に示すような従来の緑化装置においては、複数の固化培土保持部（植栽基盤保持部）又は緑化パネルを建物の壁面の一部に取り付けるだけであることから、建物の壁面が十分に冷却されないため冷房時の省エネルギー化の推進が十分にできないという問題が指摘されていた。また、特許文献１に示すような従来の緑化装置においては、複数の固化培土保持部（植栽基盤保持部）又は緑化パネルを建物の壁面に設置するために設置工事用の足場を構築して危険な作業をする必要があることから、設置コストが高額になってしまうなどの問題があった。
【０００６】
本発明はこのような従来技術の問題点に着目してなされたものであって、建物の冷房時の省エネルギー化を大きく推進することができ、さらに従来よりも設置コストを大幅に低減化することができる建物の壁面緑化装置および方法を提供することを目的とする。
【課題を解決するための手段】
【０００７】
以上のような課題を解決するための本発明による建物の外壁面を緑化するための緑化装置は、植物が生育可能な植栽用素材により構成される、複数の植栽素材保持部と、前記各植栽素材保持部を、建物の壁面に対向するように、建物の壁面から所定距離だけ離れた複数の位置に、それぞれ支持する第１支持部と、送水用のパイプから送られてくる水をミストとして放出する、複数のミスト放出部と、前記各ミスト放出部を、前記各植栽素材保持部の上方の各位置であって少なくとも前記各植栽素材保持部の略水平方向の中央部分よりも更に前記壁面から離れた各位置に、それぞれ支持する第２支持部（前記第１支持部と兼用されるものであってもよい）とを備え、前記各ミスト放出部は、前記各植栽素材保持部および前記壁面の双方に向けてミストを放出するものである、ことを特徴とするものである。
【０００８】
また、本発明による建物の外壁面を緑化するための緑化装置は、建物の壁面に対して所定距離だけ離れた位置に、前記壁面に対向するように前記壁面と略平行に配置され、且つ、略垂直方向および略水平方向にそれぞれ所定間隔を介して互いに略平行に配置される複数のワイヤロープと、植物が生育可能な植栽用素材により構成される複数の植栽素材保持部であって、前記ワイヤロープに直接に又は所定の支持部材（ネットなど）を介して取り付けられた植栽素材保持部と、前記ワイヤロープにより支持された送水パイプであって、少なくとも前記各植栽素材保持部の略水平方向の中央部分よりも前記壁面から離れた位置に配置された送水パイプと、前記送水パイプの複数箇所にそれぞれ設けられ、前記送水パイプからの水を、前記各植栽素材保持部および前記壁面の双方に向けて、ミストとして放出するミスト放出部と、を備えたことを特徴とするものである。
【０００９】
また、本発明の壁面緑化装置においては、前記建物の屋根又は屋上の外壁側端部に、前記壁面から離れる方向に前記屋根又は屋上の外壁側端部から突出する突出部を備えたワイヤ支持部が固定されており、前記ワイヤロープは、前記壁面から所定距離だけ離れた位置に配置されるように、前記ワイヤ支持部の突出部により支持されるようにしてもよい。
【００１０】
さらに、本発明による建物の外壁面を緑化するための緑化方法は、建物の壁面に対して所定距離だけ離れた複数の位置に、それぞれ、植物が生育可能な植栽用素材により構成される複数の植栽素材保持部を配置および支持しておくと共に、前記各植栽素材保持部の上方の各位置であって少なくとも前記各植栽素材保持部の略水平方向の中央部分よりも更に前記壁面から離れた各位置に、それぞれ、送水用のパイプから送られてくる水をミストとして放出するミスト放出部を配置および支持しておき、前記各ミスト放出部から、前記植栽素材保持部および前記壁面の双方に向けて、ミストを放出するようにした、ことを特徴とするものである。
【発明の効果】
【００１１】
請求項１，４の発明においては、植物生育用の各植栽素材保持部を、建物の壁面に対して所定距離だけ離れた位置に配置および支持すると共に、各ミスト放出部を、前記各植栽素材保持部の略水平方向の中央部分（例えば図３の左右方向の中央部分）よりも前記壁面から離れる各位置にそれぞれ配置および支持しておき、前記各ミスト放出部から、前記各植栽素材保持部および前記壁面の双方に向けて、送水用のパイプからの水をミストとして放出するようにしている。そして、このように放出されたミストは、放出された方向（前記各植栽素材保持部および前記壁面の方向）に向かって移動しながら徐々に拡散して行き、前記各植栽素材保持部と、前記壁面の広い範囲とに渡って、付着する。したがって、この発明によれば、前記各ミスト放出部からミストが放出されることにより、前記各植栽素材保持部に生育する植物へ水分が補給されるだけでなく、前記壁面の広い範囲に渡ってミストが付着してその蒸発時に気化熱が奪われて壁面が冷却される（打ち水効果）ので、建物の壁面に緑化装置を備えるだけで建物全体の冷房時の省エネルギー化を大きく推進することが可能になる。
【００１２】
また、請求項２，３の発明においては、複数のワイヤロープを建物の壁面に対して所定距離だけ離れた位置に配置、固定し、このワイヤロープにより前記各植栽素材保持部および前記各ミスト放出部を支持するようにしている。そして、この発明においては、前記各植栽素材保持部および前記各ミスト放出部が、前記ワイヤーロープにより建物の壁面に対して所定距離だけ離れた位置に配置および支持され、且つ、前記各ミスト放出部が、前記各植栽素材保持部よりも前記壁面から離れるように配置される。よって、この発明によれば、前記各ミスト放出部からミストが放出されると、放出されたミストは、放出された方向（前記各植栽素材保持部および前記壁面の方向）に向かって移動しながら徐々に拡散して行き、前記各植栽素材保持部と前記壁面の広い範囲とに渡って付着し、前記植物に水分を補給すると共に前記壁面を広い範囲に渡って気化熱により冷却させる。以上より、この発明によれば、前記ワイヤロープにより前記植栽素材保持部および前記ミスト放出部を支持するようにしているので、従来のように緑化パネル等の設置工事のための足場工事などを不要として緑化装置の設置コスト等を大幅に低減することができると共に、建物の壁面に緑化装置を備えるだけで建物全体の冷房時の省エネルギー化を大きく推進することが可能になる。
【図面の簡単な説明】
【００１３】
【図１】本発明の実施例１による緑化装置を壁面に取り付けた状態を示す正面図である。
【図２】本実施例１を壁面に取り付けた状態を示す側面図である。
【図３】本実施例１の動作を説明するための図である。
【図４】本発明の実施例２により緑化装置を壁面に取り付けた状態を示す側面図である。
【図５】本実施例２の動作を説明するための図である。
【発明を実施するための形態】
【００１４】
本発明を実施するための最良の形態は、以下の実施例１について述べるような形態である。
【実施例１】
【００１５】
図１は本発明の実施例１による緑化装置を壁面に設置した状態を示す正面図、図２は本実施例１による緑化装置を壁面に設置した状態を示す側面図、図３は本実施例１による緑化装置の動作を説明するための図である。図１，２において、１は建物の屋上の外壁側端部（躯体の一部）、２はこの屋上の外壁側端部１に（建物の横方向に沿って）配置、固定された一対の金属製のワイヤ吊下げ部、３は地上（及び地中）において前記各ワイヤ吊下げ部２と垂直方向に対向する位置にそれぞれ固定された一対のベース、４は各上端部が前記一対のワイヤ吊下げ部２とそれぞれ固定され且つ各下端部が前記一対のベース３とそれぞれ固定され、略垂直方向に延びる一対の縦ワイヤーロープ、５は各端部が前記一対の縦ワイヤーロープ４の間に（略水平方向に延びるように）固定された横ワイヤーロープ、１０は建物の壁面（外壁面）である。
【００１６】
本実施例１では、前記一対の各ワイヤ吊下げ部（例えば金属製）２は、互いに図１の横方向に所定距離（例えば約１．８〜２．７ｍ程度）を介してそれぞれ配置され、図示しない複数のアンカボルトにより屋上の外壁側端部１に固定されている。また、前記各ワイヤ吊下げ部２は、図２に示すように、壁面１０から離れる方向（図２の右方向）に屋上の外壁側端部１から所定距離（例えば２０〜８０ｃｍ程度、より望ましくは４０〜６０ｃｍ程度）だけ突出する突出部２ａをそれぞれ備えている。この各突出部２ａは、前記各縦ワイヤーロープ４の上端部を図示しない固定金具により固定して、前記各縦ワイヤーロープ４を下方に吊り下げるためのものである。なお、図１において、２ｂは前記突出部２ａを支えるために前記外壁部（壁面１０）と前記突出部２ａとの間に介設された金属製の支え板である。
【００１７】
また、地上では、前記各突出部２ａと対向する位置、すなわち、前記壁面１０から所定距離（例えば２０〜８０ｃｍ程度、より望ましくは４０〜６０ｃｍ程度）だけ離れた各位置に、一対のベース３が（基礎工事により）固定されている。この一対の各ベース３は、前記各縦ワイヤーロープ４の下端部をそれぞれ図示しない固定金具により固定するためのもので、建物の横方向に沿って、互いに所定間隔（例えば約１．８〜２．７ｍ程度）を介して固定されている。
【００１８】
前記の各突出部２ａ及び各ベース３により、前記各縦ワイヤーロープ４は、前記各突出部２ａと前記各ベース３との間で張り詰められた状態で、略垂直方向に、所定間隔を介して互いに略平行に、配置、固定される。すなわち、前記各縦ワイヤーロープ４は、前記壁面１０から所定距離（例えば約１０〜７０ｃｍ程度、より望ましくは３０〜５０ｃｍ程度）だけ離れた位置に、前記壁面１０に対向するように前記壁面１０と略平行に、且つ、互いに建物の横方向に沿って、互いに所定間隔（例えば約１．８〜２．７ｍ程度）を介して略平行に、配置される。
【００１９】
また、本実施例１では、図１に示すように、前記各縦ワイヤーロープ４の間に、略水平方向に延びる横ワイヤーロープ５が、互いに図１の縦方向に所定間隔（例えば約２．８〜３．３ｍ程度）を介して、互いに略平行に、配置されている。図１に示す例では、２本の縦ワイヤーロープ４の間に、上下方向に３本の横ワイヤーロープ５が、互いに所定間隔を介して、互いに略平行に、配置されている。前記各横ワイヤーロープ５は、その両端が公知の固定金具（図示せず）により前記各縦ワイヤーロープ４に固定されている。以上のようにして、本実施例１では、前記一対の各縦ワイヤーロープ４が、それぞれ略垂直方向に、互いに所定間隔を介して、互いに略平行に、配置されると共に、前記３本の各横ワイヤーロープ５が、それぞれ略水平方向に、互いに所定間隔を介して、互いに略平行に、配置されている。
【００２０】
また、本実施例１においては、前記縦ワイヤーロープ４は、前述のように一対（２本）でセットとして建物の屋上側の各ワイヤ吊下げ部２と地上側の各ベース３との間に固定されるが、この一対（２本）のセットは、建物の横方向のサイズに応じて、何個かのセットを、建物の横方向（図１の左右方向）に沿って、互いに所定間隔を介して並べるように配置、固定することが望ましい（図１の右端のワイヤ吊下げ部２，ベース３、縦ワイヤーロープ４、及び横ワイヤーロープ５など参照）。
【００２１】
また、図１，２において、１１は例えば水道水からの水を高圧水（加圧水）に変換する高圧水発生部（従来より公知の高圧ポンプやコンプレッサなどで構成される）、１２は前記高圧水発生部１１の下流側（前記高圧水発生部１１と後述の送水管１４との間）に介設された制御弁、１３は前記高圧水発生部１１及び制御弁１２を制御する制御部、１４は前記高圧水発生部１１からの高圧水を後述の３つの送水管１５，１６，１７に送る送水管、１５，１６，１７は前記送水管１４からそれぞれ分岐される送水管であって前記送水管１４からの高圧水をそれぞれ前記各横ワイヤーロープ５に沿って送る例えばゴム製の送水管である。前記各送水管１４，１５，１６，１７は、それぞれ、図１に示すように、所定の固定金具１４ａ，１５ａ，１６ａ，１７ａにより前記縦ワイヤーロープ４及び横ワイヤーロープ５に固定・支持されている。
【００２２】
また、図１，２において、２４，２５，２６は、その内部に植物を植栽するための植栽土（人工土を含む）などの植栽用素材を収容・保持した例えば袋状又はマット状の植栽素材保持部である。前記各植栽素材保持部２４，２５，２６は、図３に示すように、植栽土２４ａとこれを収容する袋又はマット２４ｂとから構成されている。また図３に示すように、前記植栽土２４ａ中には植物３０の根３０ａが植生しており、そこから植物３０が、前記ネット２１、送水管１４，１５、及び縦ワイヤーロープ４を介して建物の壁面１０から離れる方向に伸びることにより、前記壁面１０の緑化が実現されている。
【００２３】
また、図１，２において、２１，２２，２３は、前記植栽素材保持部２４，２５，２６を支持するための金属製又は樹脂製の格子状ネットである。前記ネット２１，２２，２３はそれぞれ、固定金具２１ａ，２２ａ，２３ａ及び固定金具２１ｂ，２２ｂ，２３ｂにより、前記縦ワイヤーロープ４及び前記横ワイヤーロープ５に固定、支持されている。
【００２４】
前記各植栽素材保持部２４，２５，２６は、それぞれ図示しない固定金具により前記各ネット２１，２２，２３に固定されている。また、前記各植栽素材保持部２４，２５，２６は、前記縦ワイヤーロープ４及び前記横ワイヤーロープ５により（前記各ネット２１，２２，２３を介して）、前記縦ワイヤーロープ４及び前記横ワイヤーロープ５よりも前記壁面１０側の複数の各位置（図２参照）に、配置、支持されている。
【００２５】
また、前記各送水管１４，１５，１６，１７は、それぞれ、所定の固定金具１４ａ，１５ａ，１６ａ，１７ａにより前記縦ワイヤーロープ４及び横ワイヤーロープ５の前記壁面１０に近い側（図２参照）に、固定・支持されている。本実施例１においては、図１に示すように、前記送水管１４は前記縦ワイヤーロープ４に沿って略垂直方向に下降し、前記各送水管１５，１６，１７は、前記送水管１４からそれぞれ分岐されて、互いに地上からの高さが異なる複数の（図１の例では３本の）各横ワイヤーロープ５に沿ってそれぞれ略水平方向に延びるように、配置されている。そして、本実施例１では、前記各送水管１４，１５，１６，１７は、それぞれ、図２に示すように、前記縦ワイヤーロープ４及び前記横ワイヤーロープ５よりも前記壁面１０に近い側で且つ前記各植栽素材保持部２４，２５，２６よりも前記壁面１０から離れた側の位置に、配置され支持されている。
【００２６】
また、本実施例１では、前記各送水管１５，１６，１７の前記各横ワイヤーロープ５に沿う各部分に、それぞれ複数個（例えば４個）のミストノズル１５ｂ，１６ｂ，１７ｂが設けられている。前記各ミストノズル１５ｂ，１６ｂ，１７ｂは、前記各送水管１５，１６，１７に備えられていることから、図２に示すように、前記縦ワイヤーロープ４及び前記横ワイヤーロープ５よりも前記壁面１０に近い側で且つ前記各植栽素材保持部２４，２５，２６よりも前記壁面１０から離れた側の位置に、配置され支持されている。
【００２７】
以上より、本実施例１においては、前記各送水管１５，１６，１７に設けられた各ミストノズル１５ｂ，１６ｂ，１７ｂは、前記各横ワイヤーロープ５により、図２に示すように、前記各植栽素材保持部２４，２５，２６の図示右斜め上方の各位置（すなわち、少なくとも前記各植栽素材保持部２４，２５，２６の図示左右方向の中央部分よりも更に前記壁面から離れた各位置であって、且つ、前記各植栽素材保持部２４，２５，２６の上方の各位置）に、それぞれ支持されている。
【００２８】
また本実施例１において、前記各送水管１５，１６，１７の各先端部は閉鎖されており、また、前記各ミストノズル１５ｂ，１６ｂ，１７ｂには微小な孔が多数形成されている。よって、本実施例１では、前記各送水管１５，１６，１７から高圧水が送られると、前記各ミストノズル１５ｂ，１６ｂ，１７ｂから例えば直径が約５０〜２μｍ、より望ましくは約３０〜１０μｍ（又は約２０〜１０μｍ、又は約３０〜２０μｍ、又は約４０〜３０μｍ、又は約５０〜４０μｍ）程度の微小なミストが放出（噴霧）されるようになっている。また、前記各ミストノズル１５ｂ，１６ｂ，１７ｂは、図２に示すように、そのミスト放出方向が前記植栽素材保持部２４，２５，２６及び前記壁面１０の双方に向かうように、配置されている。
【００２９】
なお本実施例１では、図１に示すように、一対の縦ワイヤーロープ４に挟まれた部分（３本の横ワイヤーロープ５、３つのネット２１，２２，２３、各ネットに固定された植栽素材保持部２４，２５，２６、及び送水管１４，１５，１６，１７などを含む）が１つのセットとして前記壁面１０に設置され、同様のセットが建物の横方向に沿ってこのセットの横に更に並ぶように前記壁面１０に設置される。図１では、図の右端にこの「他のセット」の一部を示している（この「他のセット」のために使用される前記制御弁１２から分岐された送水管１４Ａなどは一部だけ示すに止め、他の部分は図示省略している）。
【００３０】
次に、本実施例１の動作を図３を参照して説明する。本実施例１では、前記制御部１３が、予め設定された例えば数分間に１回だけ数秒間などのタイミングで、又は天候、温度、及び湿度などに関するセンサ情報に基づいて自動的に算出されるタイミングで、所定の制御信号を発生する。すると、この制御信号に基づいて、前記高圧水発生部１１が高圧水を生成すると共に前記制御弁１２が開放されて、前記高圧水が前記各送水管１４，１５，１６，１７に送られる。そして、この前記各送水管１４，１５，１６，１７から送られる高圧水は、前記各ミストノズル１５ｂ，１６ｂ，１７ｂから、前述のようなミストとして、前記各植栽素材保持部２４，２５，２６および前記壁面１０の方向に向けて放出される（図３の矢印α１〜α３参照）。特に、本実施例１では、前記方向に放出されたミストは、微小な水粒子により構成されているため、前記壁面１０まで到達するまでに徐々に拡散し（図２の矢印α２，α３参照）、前記壁面１０を、そのかなり広い範囲に渡って濡らすようになる。よって、本実施例１によるときは、前記ミストの放出により、前記植栽素材保持部２４，２５，２６に十分な水分を補給すると共に、前記壁面１０の広い範囲に水粒子を付着させて前記壁面１０を広範囲に渡って気化熱により冷却させることができる。
【実施例２】
【００３１】
次に、図４，５は本発明の実施例２による緑化装置を示す図である。本実施例２は、前記実施例１と基本的な構成は同一であるので、以下では異なる点だけについて説明する。本実施例２においては、図４，５に示すように、前記送水管１４，１５，１６，１７及び前記ミストノズル１５ｂ，１６ｂ，１７ｂを前記縦ワイヤーロープ４及び横ワイヤーロープ５の外側（前記壁面１０から遠ざかる側）に配置するようにしている。本実施例２は、この点で、前記送水管１４，１５，１６，１７及び前記ミストノズル１５ｂ，１６ｂ，１７ｂを前記縦ワイヤーロープ４及び横ワイヤーロープ５の内側（前記壁面１０に近い側）に配置するようにした前記実施例１と異なっている。
【００３２】
しかし、本実施例２においては、前記ミストノズル１５ｂ，１６ｂ，１７ｂは、前記植栽素材保持部２５，２５，２６よりも前記壁面１０から離れた位置（前記植栽素材保持部２５，２５，２６の図示右斜め上の位置）に配置されるようになっており、この点は前記実施例１と同様である。よって、本実施例２によるときも、前記ミストノズル１５ｂ，１６ｂ，１７ｂからミストを放出することにより、前記植栽素材保持部２５，２５，２６と前記壁面１０との双方に同時にミストを供給し、植物への水補給と外壁面の冷却とを併せ実現することができる。
【００３３】
以上、本発明の各実施例について説明したが、本発明は前記各実施例として述べたものに限定されるものではなく、様々な修正および変更が可能である。例えば、前記各実施例においては、水道水を高圧水発生部１１で高圧水に変換して前記各送水管１４，１５，１６，１７に送ることにより前記各ミストノズル１５ｂ，１６ｂ，１７ｂからミストを放出するようにしているが、本発明はこれに限られるものではなく、例えば、タンクに貯めた水をコンプレッサーで加圧した空気と一緒に公知のアトマイザ（各送水管に設けられたミスト放出部）に供給することによりアトマイザからミストを放出するようにしてもよい。あるいは、前記高圧水を使用しないで、前記ミストノズル１５ｂ，１６ｂ，１７ｂの内部に、それぞれ、水を霧化する公知の超音波発生装置を内蔵して、この各超音波発生装置によりミストを生成するようにしてもよい。
【００３４】
また、前記各実施例では、それぞれが略垂直方向に延びる一対の縦ワイヤーロープ４を１セットとして建物の壁面に対向するように設置し、この一対の縦ワイヤーロープ４の間に、横ワイヤーロープ、ネット、植栽素材保持部、送水管、及びミストノズルなどを設置することを提案したが、本発明はこれに限られるものではなく、例えば３本以上の縦ワイヤーロープ４を１セットとして建物の壁面に対向するように配置と、この１セットとしての３本以上の縦ワイヤーロープ４を建物の横方向に沿って並べるように設置するようにしてもよい。
【００３５】
また、前記各実施例では、前記植栽素材保持部２４，２５，２６として、袋又はマットの内部に植栽用素材の１種である植栽土を収容したものを例に説明したが、本発明においてはこれに限られるものではなく、例えば、前記植栽素材保持部２４，２５，２６の全体を植物の根を内部に植生可能な多孔質の軽量コンクリートなどにより構成するようにしてもよい。また、前記実施例１では、屋上の外壁側端部１にワイヤ吊下げ部２を介して縦ワイヤーロープ４を固定する場合について説明したが、本発明はこれに限られるものではなく、屋上ではない屋根の端部に縦ワイヤーロープ４を固定するようにしてもよい。また、本発明では、前記縦ワイヤロープ４および横ワイヤーロープ５を使用することなく、他の部材を使用して、前記植栽素材保持部２４，２５，２６および前記ミストノズル１５ｂ，１６ｂ，１７ｂを前記各位置に配置、支持するようにしてもよい。
【００３６】
また、前記実施例１においては、前記植栽素材保持部２５，２５，２６及び前記ミストノズル１５ｂ，１６ｂ，１７ｂを前記縦ワイヤーロープ４及び横ワイヤーロープ５の内側（壁面１０側）に配置するようにしたが、本発明では前記植栽素材保持部２５，２５，２６及び前記ミストノズル１５ｂ，１６ｂ，１７ｂを前記縦ワイヤーロープ４及び横ワイヤーロープ５の外側（壁面１０から遠ざかる側）に配置するようにしてもよい（この場合でも、前記ミストノズル１５ｂ，１６ｂ，１７ｂを、前記各植栽素材保持部２５，２５，２６よりも前記壁面１０から離れた位置に配置するようにすれば、前記各ミストノズル１５ｂ，１６ｂ，１７ｂからミストを放出することにより前記植栽素材保持部２５，２５，２６と前記壁面１０との双方に同時にミストを供給し、植物への水補給と外壁面の冷却とを併せ実現することができる）。また、前記各実施例では、前記各植栽素材保持部２５，２５，２６を前記各ネット２１，２２，２３よりも前記壁面１０側に配置するようにしているが、本発明では、前記各植栽素材保持部２５，２５，２６を、前記各ネット２１，２２，２３よりも前記壁面１０から離れる側（前記壁面１０側の反対側）に配置する（ただし、前記各植栽素材保持部２５，２５，２６の図２の左右方向の中央部分が前記各ミストノズル１５ｂ，１６ｂ，１７ｂより前記壁面１０側にくるように、配置する）ようにしてもよい。
【符号の説明】
【００３７】
１     屋上の外壁側端部
２     ワイヤ吊下げ部
２ａ   突出部
２ｂ   支え板
３     ベース
４     縦ワイヤーロープ
５     横ワイヤーロープ
１０   壁面
１１   高圧水発生部
１２   制御弁
１３   制御部
１４，１５，１６，１７       送水管
１５ａ，１６ａ，１７ａ，２１ａ，２２ａ，２３ａ，２１ｂ，２２ｂ，２３ｂ 固定金具
１５ｂ，１６ｂ，１７ｂ       ミストノズル
２１，２２，２３     ネット
２４，２５，２６     植栽素材保持部
２４ａ 植栽土
２４ｂ マット
３０   植物
３０ａ  植物の根
【図１】
2013146232.tif 000003
【図２】
2013146232.tif 000004
【図３】
2013146232.tif 000005
【図４】
2013146232.tif 000006
【図５】
2013146232.tif 000007
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
建物の壁面を緑化するための緑化装置であって、
植物が生育可能な植栽用素材により構成される、複数の植栽素材保持部と、
前記各植栽素材保持部を、建物の壁面に対向するように、前記壁面から所定距離だけ離れた複数の位置に、それぞれ支持する第１支持部と、
送水用のパイプから送られてくる水をミストとして放出する、複数のミスト放出部と、
前記各ミスト放出部を、前記各植栽素材保持部の上方の各位置であって少なくとも前記各植栽素材保持部の前記壁面と直交する方向の中央部分よりも更に前記壁面から離れた各位置に、それぞれ支持する第２支持部と、
を備え、前記各ミスト放出部は、前記各植栽素材保持部および前記壁面の双方に向けてミストを放出するものである、ことを特徴とする、壁面冷却機能を有する壁面緑化装置。
【請求項２】
建物の壁面を緑化するための緑化装置であって、
建物の壁面から所定距離だけ離れた位置に、前記壁面に対向するように前記壁面と略平行に配置され、且つ、略垂直方向および略水平方向にそれぞれ所定間隔を介して互いに略平行に配置される複数のワイヤロープと、
植物が生育可能な植栽用素材により構成される複数の植栽素材保持部であって、前記ワイヤロープに直接に又は所定の支持部材を介して取り付けられ支持された各植栽素材保持部と、
前記ワイヤロープにより支持された送水パイプであって、少なくとも前記各植栽素材保持部の前記壁面と直交する方向の中央部分よりも前記壁面から離れた位置に配置された送水パイプと、
前記送水パイプの複数箇所にそれぞれ設けられ、前記送水パイプからの水を、前記各植栽素材保持部および前記壁面の双方に向けて、ミストとして放出するミスト放出部と、
を備えたことを特徴とする、壁面冷却機能を有する壁面緑化装置。
【請求項３】
請求項２において、
前記建物の屋根又は屋上の外壁側端部に、前記壁面から離れる方向に前記屋根又は屋上の外壁側端部から突出する突出部を備えたワイヤ支持部が固定されており、
前記ワイヤロープは、前記壁面から所定距離だけ離れた位置に配置されるように、前記ワイヤ支持部の突出部により支持されている、ことを特徴とする、壁面冷却機能を有する壁面緑化装置。
【請求項４】
建物の壁面を緑化するための緑化方法であって、
前記壁面に対して所定距離だけ離れた複数の位置に、それぞれ、植物が生育可能な植栽用素材により構成される複数の植栽素材保持部を配置および支持しておくと共に、
前記各植栽素材保持部の上方の各位置であって少なくとも前記各植栽素材保持部の前記壁面と直交する方向の中央部分よりも更に前記壁面から離れた各位置に、それぞれ、送水用のパイプから送られてくる水をミストとして放出するミスト放出部を配置および支持しておき、
前記各ミスト放出部から、前記植栽素材保持部および前記壁面の双方に向けて、ミストを放出するようにした、ことを特徴とする壁面冷却機能を有する壁面緑化方法。
【手続補正２】
【補正対象書類名】明細書
【補正対象項目名】０００７
【補正方法】変更
【補正の内容】
【０００７】
以上のような課題を解決するための本発明による建物の外壁面を緑化するための緑化装置は、植物が生育可能な植栽用素材により構成される、複数の植栽素材保持部と、前記各植栽素材保持部を、建物の壁面に対向するように、建物の壁面から所定距離だけ離れた複数の位置に、それぞれ支持する第１支持部と、送水用のパイプから送られてくる水をミストとして放出する、複数のミスト放出部と、前記各ミスト放出部を、前記各植栽素材保持部の上方の各位置であって少なくとも前記各植栽素材保持部の前記外壁面と直交する方向の中央部分よりも更に前記壁面から離れた各位置に、それぞれ支持する第２支持部とを備え、前記各ミスト放出部は、前記各植栽素材保持部および前記壁面の双方に向けてミストを放出するものである、ことを特徴とするものである。
【手続補正３】
【補正対象書類名】明細書
【補正対象項目名】０００８
【補正方法】変更
【補正の内容】
【０００８】
また、本発明による建物の外壁面を緑化するための緑化装置は、建物の壁面に対して所定距離だけ離れた位置に、前記壁面に対向するように前記壁面と略平行に配置され、且つ、略垂直方向および略水平方向にそれぞれ所定間隔を介して互いに略平行に配置される複数のワイヤロープと、植物が生育可能な植栽用素材により構成される複数の植栽素材保持部であって、前記ワイヤロープに直接に又は所定の支持部材（ネットなど）を介して取り付けられた植栽素材保持部と、前記ワイヤロープにより支持された送水パイプであって、少なくとも前記各植栽素材保持部の前記外壁面と直交する方向の中央部分よりも前記壁面から離れた位置に配置された送水パイプと、前記送水パイプの複数箇所にそれぞれ設けられ、前記送水パイプからの水を、前記各植栽素材保持部および前記壁面の双方に向けて、ミストとして放出するミスト放出部と、を備えたことを特徴とするものである。
【手続補正４】
【補正対象書類名】明細書
【補正対象項目名】００１０
【補正方法】変更
【補正の内容】
【００１０】
さらに、本発明による建物の外壁面を緑化するための緑化方法は、建物の壁面に対して所定距離だけ離れた複数の位置に、それぞれ、植物が生育可能な植栽用素材により構成される複数の植栽素材保持部を配置および支持しておくと共に、前記各植栽素材保持部の上方の各位置であって少なくとも前記各植栽素材保持部の前記壁面と直交する方向の中央部分よりも更に前記壁面から離れた各位置に、それぞれ、送水用のパイプから送られてくる水をミストとして放出するミスト放出部を配置および支持しておき、前記各ミスト放出部から、前記植栽素材保持部および前記壁面の双方に向けて、ミストを放出するようにした、ことを特徴とするものである。